(57)【要約】【課題】使用済みの空ボトルの口部に着脱可能に装着して、自動給水具として使用でき、また、じょうろとしても使用できるボトルキャップを提供する。【解決手段】複数個の吐出孔３０が穿設されボトルの口部と対向して配される吐出面３を有し、前記ボトルの口部と螺合又は嵌合される受け口部２と、受け口部２を囲繞するよう、且つ、端縁が、前記ボトルの口部から、前記吐出面３の位置よりも離れたところに位置するよう、該受け口部２に連設された台座部５とを備え、この台座部５の周壁であって前記端縁と吐出面３との間に対応する位置に連通口５０が配設されてなる。【選択図】図１
2004141045.tif 000002
【特許請求の範囲】
【請求項１】
使用済みの空ボトルの口部に着脱可能に装着され、該ボトル内に充填した水を植物に向けて散水又は植物の鉢底に給水するのに使用されるボトルキャップであって、
複数個の吐出孔が穿設されボトルの口部と対向して配される吐出面を有し、前記ボトルの口部と螺合又は嵌合される受け口部と、
この受け口部を囲繞するよう、且つ、端縁が、前記ボトルの口部から、前記吐出面の位置よりも離れたところに位置するよう、該受け口部に連設された台座部とを備え、この台座部の周壁であって前記端縁と吐出面との間に対応する位置に連通口が配設されたことを特徴とするボトルキャップ。
【請求項２】
前記吐出面には、ボトル中に侵入する空気導入パイプが設けられたことを特徴とする請求項１記載のボトルキャップ。
【発明の詳細な説明】
【０００１】
【発明の属する技術分野】
本発明は、ボトルキャップに関し、詳しくは、使用済みの空ボトルの口部に装着して、植物へ給水する際に好適なボトルキャップに関する。
【０００２】
【従来の技術】
植物へ給水する際は、通常、じょうろを用いたり、水道管に繋いだホースによって散水している。
【０００３】
一つの方法として、使用済みの空ボトルの口部に、吐出孔を形成したキャップを取り付けて、じょうろとして使用することが提案されている（例えば、特許文献１、特許文献２、特許文献３、特許文献４、特許文献５、特許文献６参照。）。
【０００４】
しかし、このような給水は、人手を介して行なわれるので、人の不在時には給水ができず、植物を枯らしてしまうといったことが起こっていた。
【０００５】
そこで、人手を介することなく給水可能な、自動給水具が提案されている（例えば、特許文献７参照。）。
【０００６】
この自動給水具は、植木鉢の給水受け皿に、植木鉢と給水タンクとを載置して使用されるものである。給水タンクには、ペットボトルの空容器を用いることができ、この場合、該ペットボトルの空容器の口部に、給水筒と、該給水筒に嵌挿する台板付きの給水調節具が設けられたキャップを螺着し、台板を受け皿上に載置して使用する。
【０００７】
【特許文献１】
特開２０００−６０３２６号公報
【特許文献２】
実用新案登録第３０２２８８６号公報
【特許文献３】
実用新案登録第３０３３８２７号公報
【特許文献４】
実用新案登録第３０５６９８６号公報
【特許文献５】
実用新案登録第３０７０９９６号公報
【特許文献６】
特開平１１−１５５４００号公報
【特許文献７】
特開２００１−７８５９５号公報
【０００８】
【発明が解決しようとする課題】
上記した、使用済みの空ボトルの口部に、吐出孔を形成したキャップを取り付けた場合は、じょうろとしては使用できるが、植木鉢とともに給水受け皿に載置し、植木鉢へ自動的に給水することはできない。
【０００９】
また、上記したペットボトルのキャップを使用した自動給水具では、キャップを装着したペットボトルを、キャップを下にして、植木鉢とともに給水受け皿に載置し、植木鉢へ自動的に給水する場合には好適であるが、ペットボトルから、直接、鉢植えや地植えの植物に給水することはできない。
【００１０】
一方、小学校などにおける理科学習の教育現場では、児童が登校しているときには、児童がじょうろ等により直接植木鉢等の植物に給水して、給水時に植物を観察し、植物の生育状態を学習することが重要である。そして、学校が休みのときには、自動給水することにより、植物を枯らすことがないようにするのが望ましい。特に、公立学校が週休二日制を採用し、夏休みなど長期休暇があることを考慮すると、学校で栽培している植物の自動給水の必要性が高まってきている。
【００１１】
本発明は、このような事情に鑑み創作されたものであって、使用済みの空ボトルに装着して、自動給水具として使用でき、また、じょうろとしても使用できるボトルキャップを提供するものである。
【００１２】
【課題を解決するための手段】
上記の目的を達成するため、本発明は、使用済みの空ボトルの口部に着脱可能に装着され、該ボトル内に充填した水を植物に向けて散水又は植物の鉢底に給水するのに使用されるボトルキャップであって、複数個の吐出孔が穿設されボトルの口部と対向して配される吐出面を有し、前記ボトルの口部と螺合又は嵌合される受け口部と、この受け口部を囲繞するよう、且つ、端縁が、前記ボトルの口部から、前記吐出面の位置よりも離れたところに位置するよう、該受け口部に連設された台座部とを備え、この台座部の周壁であって前記端縁と吐出面との間に対応する位置に連通口が配設されたことを特徴とする。
【００１３】
この発明によれば、受け口部とボトルの口部とを螺合又は嵌合して、ボトルキャップをボトルに確実に装着することができる。
【００１４】
また、吐出面に複数の吐出孔が穿設されているので、ボトルを下向きにしたり、傾けて側面を押圧すれば、吐出孔から水を吐出させることができる。したがって、ボトルをじょうろとして使用することができる。
【００１５】
さらに、受け口部を囲繞するよう、且つ、端縁が、前記ボトルの口部から、前記吐出面の位置よりも離れたところに位置するよう、台座部が連設されるとともに、台座部の周壁であって前記端縁と吐出面との間に対応する位置に連通口が配設されているので、例えば、ボトルキャップを装着して下向きにしたボトルと植木鉢とを、受け皿上に並べて載置したときに、吐出面が受け皿の底面から若干離隔されるとともに、台座部の端縁から連通口を介して水が連通される。したがって、受け皿の水面を、吐出面の受け皿からの高さと等しい高さに保持して、植木鉢に自動的に給水することができる。
【００１６】
さらにまた、使用済みの空ボトルを使用することができるので、リサイクルに協力することができる。特に、空ボトルとして飲料用のペットボトルを使用すれば、透明なペットボトルを通して、水の増減を容易に視認することができ、気温や天候と植物の生育との相関関係に対する理解を深めることができる。
【００１７】
本発明において、前記吐出面には、ボトル中に侵入する空気導入パイプが設けられると、空気導入パイプからボトル内に空気を取り込むことにより、空気と置換して効率的に水を吐出させることができる。また、じょうろとしての使用時に、ボトル内の水が少量になった場合、ボトルを押圧して水を吐出させるのは困難になるが、ボトルを傾けて、空気導入パイプを介してボトル内の空気と外気とを流通させると、ボトル内の水を容易に吐出させることができる。
【００１８】
【発明の実施の形態】
以下、本発明のボトルキャップ１の実施の形態について、ボトルとしてペットボトルＡを用いた場合を例にとって図面を参照しながら説明する。
【００１９】
本実施形態に係るボトルキャップ１は、成型品であって、受け口部２と、受け口部２に連設された台座部５と、から主要部が構成されている。
【００２０】
受け口部２には、複数個の吐出孔３０が穿設されボトルＡの口部ａと対向して配される吐出面３が設けられている。また、受け口部２の内周面には、ボトルＡの口部ａに設けられた雄ねじに螺合可能な雌ねじが設けられており、ボトルキャップ１をボトルＡに取り付けることができる。
【００２１】
なお、ボトルキャップ１をボトルＡに装着する手段は、上記した螺合に限定されるものではなく、例えば、嵌合することによってもよい。
【００２２】
また、吐出面３には、放射状にリブ３ｘが形成されており、ボトルＡの口部ａを受け口部２の最奥部までねじ込んだときに、口部ａの端縁とこのリブ３ｘとが当接することにより、ボトルＡの口部ａと吐出面３との間に隙間が形成される。この隙間を通して、ボトルＡ内の水が吐出孔３０から吐出されるように図られている（図２参照）。
【００２３】
さらに、吐出面３には、ボトルＡ中に侵入する空気導入パイプ４が設けられている。この空気導入パイプ４は、両端が開口された筒状体であって、本実施形態では、台座部５の上端５ｂを超えて立ち上げられているが、このパイプの長さは任意である。
【００２４】
台座部５は、受け口部２を囲繞するよう、且つ、端縁５ａが、ボトルＡの口部ａから、吐出面３の位置よりも離れたところに位置するよう、受け口部２に連設されている。この台座部５と受け口部２との間には、複数個の補強リブ５ｘが形成されており、これらリブ５ｘによって、台座部５、受け口部２との間は、空隙とされている。また、この空隙は、上記補強リブ５ｘで複数の部屋に分割されている。
【００２５】
また、台座部５の周壁であって、端縁５ａと吐出面３との間に対応する位置には、複数個の連通口５０が配設されており、台座部５の内外が連通されている。
【００２６】
なお、連通口５０は、本実施形態では、端縁５ａが切り欠かれて形成されているが、端縁５ａと吐出面３との間に対応する位置であれば、形状や大きさ、個数は任意である。
【００２７】
さらに、台座部５の外周面には、複数個の凹み５１が設けられており、児童がこの凹み５１をつかんで、容易にボトルキャップ１を回すことができるようになされている。また、台座部５の下端面は、ボトルキャップ１の軸心に対して垂直な面に形成されており、ボトルＡを垂直に安定して倒立させることができるよう図られている。
【００２８】
次に、上記構成のボトルキャップ１の使用方法を説明する。
【００２９】
ボトルＡをじょうろとして使用する場合、まず、水を入れたボトルＡの口部ａに、ボトルキャップ１の受け口部２を螺合して、ボトルＡにボトルキャップ１を装着する。
【００３０】
次に、ボトルＡを傾けるとともに、ボトルＡの側面を押圧すれば、吐出面３から水を吐出させて、植物に散水することができる。そして、ボトルＡ内の水がなくなれば、ボトルキャップ１をボトルＡの口部ａから取り外し、水を補給する。
【００３１】
一方、ボトルＡを自動給水具として使用する場合は、まず、水を入れたボトルＡの口部ａに、ボトルキャップ１の受け口部２を螺合して、ボトルＡにボトルキャップ１を装着する。
【００３２】
次いで、口部ａを下方にしたボトルＡを、植木鉢Ｂと並べて、受け皿Ｃの上に載置する。
【００３３】
なお受け皿Ｃには、図４に示すように、植木鉢Ｂを載置可能な載置台部ｃ１と、ボトルキャップ１を載置可能なボトル置き部ｃ２と、が形成されている。また、ボトル置き部ｃ２において、ボトルキャップ１の空気導入パイプ４に嵌め込まれる第１突起ｃ３と、台座部５の外周壁に嵌合する一対の第２突起ｃ４が形成されている。したがって、これらの突起ｃ３，ｃ４により、ボトルキャップ１を装着したボトルＡを固定することができる。この受け皿Ｃを使用すれば、小学校低学年の児童であっても、第１突起ｃ３および第２突起ｃ４にボトルキャップ１を嵌め込むことにより、ボトルＡを受け皿Ｃに簡単に固定することができ、使い勝手がよい。
【００３４】
この場合、ボトルキャップ１の吐出面３は、受け皿Ｃの底面から若干離隔されているとともに、台座部５には、連通口５０が形成されて、その内外を受け皿Ｃ上の水が流入・流出可能とされている。したがって、受け皿Ｃ上の水位が一定（すなわち、受け皿Ｃの底面から吐出面３までの高さ）に保持されるように、植木鉢Ｂに水を供給することができる（図４（ｂ）参照）。
【００３５】
なお、ボトルＡを自動給水具として使用する場合において、図５に示すような受け皿Ｄを用いてもよい。この受け皿Ｄは、平坦な底面ｄ１の外周縁に側面ｄ２が立ち上げられて形成されている。ボトルキャップ１の台座部５の下端面は、ボトルキャップ１の軸心に対して垂直な面に形成されているので、ボトルＡを底面ｄ１上で垂直に安定して倒立させることができる。したがって、受け皿Ｄは、植木鉢Ｂと、ボトルキャップ１を装着して下向きにしたボトルＡとを載置しうる皿であれば使用することができ、受け皿Ｃのような特殊な形状の皿を用意しなくても、簡単に自動給水することができる。
【００３６】
以上、本発明のボトルキャップ１の実施の形態について、ボトルとしてペットボトルＡを用いた場合を例にとって説明したが、本発明のボトルキャップ１は、他のボトルに対しても、好適に用いることができる。
【００３７】
【発明の効果】
以上のように、本発明のボトルキャップによれば、ボトルに装着して、自動給水具として使用でき、また、じょうろとしても使用することができる。
【図面の簡単な説明】
【図１】本発明のボトルキャップの実施形態を示す平面図、Ｘ−Ｘ断面図、底面図である。
【図２】図１のボトルキャップをボトルに装着した状態を示す断面図である。
【図３】図１のボトルキャップの正面図である。
【図４】図１のボトルキャップの使用状態を説明する平面図、およびＹ−Ｙ端面図である。
【図５】図１のボトルキャップの使用状態の他の例を示す図である。
【符号の説明】
１　　ボトルキャップ
２　　受け口部
３　　吐出面
３０吐出孔
４　　空気導入パイプ
５　　台座部
５０　　連通口
【図１】
2004141045.tif 000003
【図２】
2004141045.tif 000004
【図３】
2004141045.tif 000005
【図４】
2004141045.tif 000006
【図５】
2004141045.tif 000007